(57)【要約】【課題】本実施形態の放送信号受信装置は、音声信号を出力中に新たな外部接続機器が接続されたり音声信号を出力中の外部接続機器が抜かれたりした場合に、新たに接続された外部接続機器あるいは抜かれた外部接続機器の代わりの機器を音、新たな声信号の出力先とし、新たな出力先の機器に適切な音声モードの音声出力が可能な放送信号受信装置を提供することを目的とする。【解決手段】本実施形態のデジタルテレビジョン受信装置は、音声デコーダと制御部とを有する。音声デコーダは、ＭＭＴ−ＴＬＶ方式で多重された音声ストリームをデコードする。前記制御部は、第１の出力先に前記音声信号を出力中に、第２の出力先に第２の外部接続機器が接続されたことを検出した場合、前記音声信号の出力先を前記第２の出力先と前記第２の出力先に出力する音声信号のステレオのチャンネル数を決定し、前記音声デコーダは、前記音声ストリームに含まれる音声アセットに応じて前記第２の出力先に音声信号を出力する。【選択図】図１
2020039084.tif 000002
【特許請求の範囲】
【請求項１】
ＭＭＴ−ＴＬＶ方式で多重されている放送信号を受信する放送信号受信装置において、
ＭＭＴ−ＴＬＶ方式で多重された放送信号に含まれる音声ストリームをデコードする音声デコーダと、
外部接続機器の接続を検出した場合に、前記外部接続機器が接続された出力先に前記音声ストリームを音声信号として出力する制御を行う制御部と、
を有し、
前記制御部は、第１の出力先に前記音声信号を出力中に、第２の出力先に第２の外部接続機器が接続されたことを検出した場合、前記音声信号の出力先を前記第２の出力先と決定するとともに、前記第２の外部接続機器に応じて前記第２の出力先に出力する前記音声信号のステレオのチャンネル数を第２のチャンネル数と決定し、
前記音声デコーダは、前記制御部が決定した前記第２のチャンネル数を持つ第２の音声アセットが前記音声ストリームの中に含まれている場合は、前記第２の音声アセットを音声信号として第２の出力先に出力し、前記制御部が決定した前記第２のチャンネル数を持つ前記第２の音声アセットが前記音声ストリームの中に含まれていない場合は、デフォルトのチャンネル数を持つ音声信号を生成して前記第２の出力先に出力する放送信号受信装置。
【請求項２】
前記第２の外部接続機器が第２の音声アセットをデコード可能な場合、前記音声デコーダは前記第２の音声アセットを前記音声信号として前記第２の出力先に出力し、前記第２の外部接続機器が前記第２の音声アセットをデコード不可能な場合、前記音声デコーダは前記第２の音声アセットをデコードして前記音声信号として前記第２の出力先に出力する請求項１に記載の放送信号受信装置。
【請求項３】
前記音声デコーダは、前記デフォルトのチャンネル数を持つ音声信号を、前記音声ストリームに含まれる音声アセットからダウンミクスして生成する請求項１に記載の放送信号受信装置。
【請求項４】
前記デフォルトのチャンネル数を持つ音声信号は、２ｃｈの音声信号である請求項３に記載の放送信号受信装置。
【請求項５】
前記制御部は、前記音声信号の出力先を前記第２の出力先と決定する際に、少なくとも前記第１の出力先の情報を含む第１の保存情報を保存する請求項１に記載の放送信号受信装置。
【請求項６】
前記制御部は、前記第２の出力先と前記第２の外部接続機器との接続状態を確認し、前記第２の出力先から前記第２の外部接続機器が切断されたことを検出した場合、前記第１の保存情報を読み出し、前記音声信号の出力先を前記第１の出力先に決定するとともに、前記第１の出力先の外部接続機器に応じて前記第１の出力先に出力する前記音声信号のステレオのチャンネル数を第１のチャンネル数と決定し、前記音声デコーダは、前記制御部が決定した前記第１のチャンネル数を持つ第１の音声アセットが前記音声ストリームの中に含まれている場合は、前記第１の音声アセットを音声信号として第１の出力先に出力し、前記制御部が決定した前記第１のチャンネル数を持つ前記第１の音声アセットが前記音声ストリームの中に含まれていない場合は、前記デフォルトのチャンネル数を持つ音声信号を生成して前記第１の出力先に出力する請求項５に記載の放送信号受信装置。
【請求項７】
ＭＭＴ−ＴＬＶ方式で多重されている放送信号を受信する放送信号受信装置における、放送信号に含まれる音声ストリームを音声信号として出力する音声出力方法において、
第１の出力先に前記音声信号を出力中に、第２の出力先に第２の外部接続機器が接続されたことを検出した場合、前記音声信号の出力先を前記第２の出力先と決定するとともに、前記第２の外部接続機器に応じて前記第２の出力先に出力する前記音声信号のステレオのチャンネル数を決定し、決定した前記チャンネル数を持つ第２の音声アセットが前記音声ストリームの中に含まれている場合は、前記第２の音声アセットを音声信号として第２の出力先に出力し、決定した前記チャンネル数を持つ前記第２の音声アセットが前記音声ストリームの中に含まれていない場合は、デフォルトのチャンネル数を持つ音声信号を生成して前記第２の出力先に出力する音声出力方法。
【発明の詳細な説明】
【技術分野】
【０００１】
本発明の実施形態は、放送信号受信装置および放送信号受信装置における音声出力方法に関する。
【背景技術】
【０００２】
地上デジタル放送テレビジョン放送や、ＢＳデジタル放送、高度ＢＳデジタル放送等を受信可能なデジタルテレビジョン受信装置は、出力可能な音声は一般的にＡＡＣ＿２ｃｈである。
一方高度ＢＳデジタル放送、高度広帯域ＣＳデジタル放送においては、ＡＡＣ＿２２．２ｃｈやＡＡＣ＿７．１ｃｈといった、専用の外部アンプ等がないと音声出力することが不可能なマルチチャンネルオーディオの音声モードを含む音声ストリームが放送されることがある。
【先行技術文献】
【特許文献】
【０００３】
【特許文献１】特開２００９−１９４５０６号公報
【非特許文献】
【０００４】
【非特許文献１】「デジタル放送におけるＭＭＴによるメディアトランスポート方式  標準規格」  ARIB STD-B60 1.12版  2018年4月12日改定、一般社団法人  電波産業会
【非特許文献２】「高度広帯域衛星デジタル放送運用規定  技術資料」  ARIB TR-B39 1.7版  2018年4月12日改定、一般社団法人  電波産業会
【発明の概要】
【発明が解決しようとする課題】
【０００５】
本実施形態の放送信号受信装置は、音声信号を出力中に新たな外部接続機器が接続されたり、音声信号を出力中の外部接続機器が抜かれたりした場合に、新たに接続された外部接続機器あるいは抜かれた外部接続機器の代わりの機器を新たな音声信号の出力先とし、新たな出力先の機器に適切な音声モードの音声信号を出力することが可能な放送信号受信装置および放送信号受信装置における音声出力方法を提供することを目的とする。
【課題を解決するための手段】
【０００６】
本実施形態のデジタルテレビジョン受信装置は、
ＭＭＴ−ＴＬＶ方式で多重されている放送信号を受信する放送信号受信装置において、
ＭＭＴ−ＴＬＶ方式で多重された放送信号に含まれる音声ストリームをデコードする音声デコーダと、
外部接続機器の接続を検出した場合に、前記外部接続機器が接続された出力先に前記音声ストリームを音声信号として出力する制御を行う制御部と、
を有し、
前記制御部は、第１の出力先に前記音声信号を出力中に、第２の出力先に第２の外部接続機器が接続されたことを検出した場合、前記音声信号の出力先を前記第２の出力先と決定するとともに、前記第２の外部接続機器に応じて前記第２の出力先に出力する前記音声信号のステレオのチャンネル数を第２のチャンネル数と決定し、
前記音声デコーダは、前記制御部が決定した前記第２のチャンネル数を持つ第２の音声アセットが前記音声ストリームの中に含まれている場合は、前記第２の音声アセットを音声信号として第２の出力先に出力し、前記制御部が決定した前記第２のチャンネル数を持つ前記第２の音声アセットが前記音声ストリームの中に含まれていない場合は、デフォルトのチャンネル数を持つ音声信号を生成して前記第２の出力先に出力する放送信号受信装置である。
【図面の簡単な説明】
【０００７】
【図１】図１は、本発明の実施形態に係る放送信号受信装置（手段）を含むシステム全体の構成例を示した図である。
【図２】図２は、本発明の実施形態に係る放送信号送信装置（手段）の構成例を概略的に示した図である。
【図３】図３は、本発明の実施形態に係る放送信号受信装置の構成例を概略的に示した図である。
【図４】図４は、本発明の実施形態に係る放送信号受信装置の音声デコーダがデコード可能な、音声ストリームの符号化方式、音声モード、量子化ビット数の組み合わせの一例を示した一覧である。
【図５】図５は、本発明の実施形態に係る放送信号受信装置の音声デコーダがデコード可能な、音声モードとサイマル音声の組み合わせの一例を示した一覧である。
【図６】図６は、本発明の本実施形態に係る放送信号受信装置が、状態１において行う音声信号の出力先の切り替えや出力する音声信号の音声モードの切り替えの制御の一例を示した処理フローである。
【図７】図７は、本発明の本実施形態に係る放送信号受信装置が、状態２において行う音声信号の出力先の切り替えや出力する音声信号の音声モードの切り替えの制御の一例を示した処理フローである。
【発明を実施するための形態】
【０００８】
以下、実施の形態について図面を用いて説明する。
図１は、本発明の実施形態に係る放送信号受信装置（手段）１４０を含むシステム全体の構成例を示す図である。
放送番組を放送する放送信号送信装置（手段）１００は、放送番組サーバ１０１および第１の基本機能１０２を備える。放送信号送信装置１００は、放送局とも呼ぶ。また放送信号送信装置１００は、各放送事業者の番組を集約して通信衛星１５０にアップリンクする地上局であってもよい。
【０００９】
放送番組サーバ１０１は、放送局１００として放送する番組のデータ、番組の名称、放送日時、内容の説明等を予め保存しておくエリアである。放送番組サーバ１０１は、各放送事業者から送られてきた番組等のデータを保存するサーバであってもよい。
第１の基本機能１０２は、放送局１００の基本的な機能であり、放送する番組の映像データや音声データ等を符号化（エンコードとも呼ぶ）し、制御情報であるＳＩ(Signaling Information)信号を含めて多重化して放送信号として送出する機能を持つ。制御情報であるＳＩは、ＴＬＶ(Type Length Value)パケットまたはＭＭＴ(MPEG Media Transport)の制御情報である。また放送信号の多重化方式は、非特許文献１に記載のＭＭＴ・ＴＬＶ方式を準拠するものとする。
【００１０】
放送信号受信装置（手段）１４０は、第２の基本機能１４１、制御手段１４２を含む。また放送信号受信装置１４０は、周辺機器と接続するためのＩ／Ｆを介して、表示装置１６０、ＨＤＤ（Hard Disk Drive）１６２、ヘッドフォン１６３、ＡＶアンプ１６４等と接続可能である。放送信号受信装置は、デジタルテレビジョン受信装置とも呼ぶ。
【００１１】
第２の基本機能１４１は、テレビジョン受信装置１４０としての基本的な機能であり、放送局１００から送られてくる放送信号を受信し、放送信号に含まれる符号化された映像信号（映像ストリームとも呼ぶ）、符号化された音声信号（音声ストリームとも呼ぶ）、ＳＩ信号を分離し、映像信号および音声信号を復号化（デコードとも呼ぶ）したり、ＳＩ信号を解析したりする機能を持つ。
【００１２】
制御手段１４２は、テレビジョン受信装置１４０の全体的な動作を制御する制御手段である。また制御手段１４２は、テレビジョン受信装置１４０に接続されている周辺機器、例えば表示装置１６０、スピーカ１６１、テレビジョン受信装置１４０にバインドされているＨＤＤ（Hard Disk Drive）１６２、ヘッドフォン１６３、ＡＶアンプ１６４等との接続の管理やデータの送受信の管理も行う。
【００１３】
表示装置１６０は、第２の基本機能１４１で受信した放送信号に含まれる映像を表示する手段である。表示装置１６０は、第２の基本機能１４１で受信した放送信号に含まれる音声を出力するスピーカ１６１を内蔵していてもよい。
また音声を出力する装置は、表示装置１６０に内蔵されているスピーカ１６１とは別にＵＳＢ（Universal Serial Bus）やＨＤＭＩ（登録商標）等のＩ／Ｆによりテレビジョン受信装置と接続された外部のスピーカやヘッドフォンであってもよい。Ｉ／Ｆにより接続される外部接続機器のスピーカやヘッドフォンは、非特許文献２に記載のＡＡＣ＿５．１ｃｈやＡＡＣ＿７．１ｃｈ等の種々の音声モードをサポートしていてもよい。
【００１４】
図１の例では、表示装置１６０は、テレビジョン受信装置１４０と別体として記載しているが、テレビジョン受信装置１４０の１機能としてテレビジョン受信装置１４０と一体であってもよい。
図２は、本発明の実施形態に係る放送信号送信装置（手段）１００の構成例を概略的に示した図である。放送信号送信装置１００は、放送局サーバ１０１に蓄えられている放送番組を放送信号で送信するために、番組の映像データや音声データ等を符号化して放送信号して送出する。
【００１５】
音声エンコーダ２１１は、放送局サーバ１０１に蓄えられている番組の音声データを符号化する機能を持つ。音声エンコーダ２１１は、放送する番組を放送局サーバ１０１から読み出すと、読み出した番組の音声データをエンコードする。
映像エンコーダ２１２は、放送局サーバ１０１に蓄えられている番組の映像データを符号化する機能を持つ。映像エンコーダ２１２は、放送する番組を放送局サーバ１０１から読み出すと、読み出した番組の映像データをエンコードする。
【００１６】
制御情報生成手段２１３は、ＴＬＶパケットおよびＭＭＴの制御情報を生成する機能を持つ。非特許文献１に記載のように、ＴＬＶパケットの制御情報とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。制御情報生成手段は、音声エンコーダ２１１、映像エンコーダ２１２がエンコード対象とした番組に関する制御情報を含むＴＬＶパケットおよびＭＭＴの制御情報の信号を生成する。
【００１７】
スクランブラ２１５は、音声エンコーダ２１１から出力されたエンコードされた音声ストリーム、映像エンコーダ２１２から出力されたエンコードされた映像ストリームを、ＣＡＳモジュール２１６と連携してスクランブルする機能を持つ。
ＣＡＳモジュール２１６は、スクランブラ２１５がスクランブルする際に使用する鍵を生成するモジュールである。
【００１８】
マルチプレクサ（多重化手段）２１７は、音声エンコーダ２１１が音声データをエンコードして生成した音声ストリーム、映像エンコーダ２１２が映像データをエンコードして生成した映像ストリームおよび制御情報生成手段２１４で生成された制御情報を、ＭＭＴ・ＴＬＶ方式で多重する機能を持つ。マルチプレクサ（多重化手段）２１７は、音声ストリーム、映像ストリーム、ＴＬＶパケットおよびＭＭＴの制御情報を多重化したＴＬＶストリームを生成する。
【００１９】
送信手段２１８は、ＴＬＶストリームを放送波として送出する機能を持つ。送信手段２１８は、マルチプレクサ２１７が生成したＴＬＶストリームを、１６ＡＰＳＫなどの変調や誤り訂正符号化などの伝送路符号化処理を行い放送波として送出する。
図３は、本発明の実施形態に係る放送信号受信装置１４０の構成例を概略的に示した図である。
【００２０】
放送信号受信装置１４０は、放送信号を受信する受信機能である第２の基本機能１４１と制御手段１４２を含む。
第２の基本機能１４１は、チューナー３０１、復調器３０２、デスクランブラ３０３、デマルチプレクサ（ＴＬＶ／ＭＭＴ分離処理）３０４、音声デコーダ３０５、映像デコーダ３０６、ＣＡＳモジュール３０８、提示処理３０９を含む。
【００２１】
チューナー３０１は、必要な放送信号を検出し、検出した放送信号を復調器３０２に入力する。
復調器３０２は、多重化されているＴＬＶストリームを復調し、復調したＴＬＶストリームをデマルチプレクサ３０４に入力する。
デマルチプレクサ（ＴＬＶ／ＭＭＴ分離処理）３０４は、入力されたＴＬＶストリームを、映像ストリーム、音声ストリーム、制御情報に分離する。スクランブルされている音声ストリームと映像ストリームは、デマルチプレクサ３０４により分離された制御情報に含まれるＥＭＭ/ＥＭＣを用いてＣＡＳモジュール３０８により生成された鍵を用いて、デスクランブラ３０３によりデスクランブルされる。
【００２２】
デスクランブラ３０３は、デスクランブルした音声ストリームを音声デコーダ３０５に、映像ストリームを映像デコーダ３０６に入力する。
音声デコーダ３０５は、入力された音声ストリームをデコードし、例えばスピーカ１６１に出力する音声信号を生成する。
【００２３】
映像デコーダ３０６は、入力された映像ストリームをデコードし、例えば表示装置１６０に表示する映像信号を生成する。
デコードされた映像信号は、文字及びグラフィック画像の提示処理３０９を経由して出力される。
提示処理３０９は、映像デコーダ３０６が映像ストリームをデコードして生成した映像信号に文字やグラフィック画像を合成して表示装置３１７に表示する映像を生成する。
【００２４】
ヘッドフォン出力３１０は、放送信号受信装置１４０の外部接続機器であるヘッドフォン３１５に音声信号を出力するためのＩ／Ｆである。またヘッドフォン３１５がサポートするチャンネル数は、２ｃｈとするが２ｃｈに限定されない。
音声出力３１１は、放送信号受信装置１４０が備えるスピーカ３１６に音声信号を出力するためのＩ／Ｆである。なお放送信号受信装置１４０は、音声デコーダ３０５から出力される音声信号の通常の出力先として、音声出力３１１を設定しているものとする。またスピーカ３１６がサポートするチャンネル数は、２ｃｈとするが２ｃｈに限定されない。
【００２５】
映像出力３１２は、放送信号受信装置１４０が備える表示装置３１７に映像信号を出力するためのＩ／Ｆである。なお放送信号受信装置１４０は、映像デコーダ３０６から出力される映像信号の通常の出力先として、映像出力３１２を設定しているものとする。
【００２６】
デジタル音声出力３１３は、放送信号受信装置１４０の外部接続機器であるオーディオ機器（図示せず）に音声信号を出力するためのＩ／Ｆである。デジタル音声出力３１３のＩ／Ｆは、例えばＨＤＭＩのＩ／Ｆである。オーディオ機器等の外部接続機器は、マルチチャンネルオーディオに対応する機器であってもよい。
【００２７】
デジタル映像音声出力３１４は、放送信号受信装置１４０の外部接続機器であるＡＶ機器（図示せず）に音声信号および映像信号を出力するためのＩ／Ｆである。デジタル映像音声出力３１４のＩ／Ｆは、例えばＨＤＭＩのＩ／Ｆである。ＡＶ機器等の外部接続機器は、マルチチャンネルオーディオに対応する機器であってもよい。
【００２８】
デコードされた音声信号の出力先は、例えば音声出力３１１のＩ／Ｆを介して放送信号受信装置１４０に備えられたスピーカ３１６であってもよい、あるいは例えばＨＤＭＩ等のデジタル音声出力３１３あるいはデジタル映像音声出力３１４のＩ／Ｆを介して放送信号受信装置１４０に接続された外部接続機器であってもよい、あるいはヘッドフォン出力３１０のＩ／Ｆを介して放送信号受信装置１４０に接続されたヘッドフォン３１５であってもよい。このように音声デコーダ３０５がデコードした音声信号の出力先は、複数存在していてもよい。なお図３に示す音声デコーダ３０５の音声信号の出力先は、一例でありこれ以外の出力先があってもよい、あるいは図３に示す出力先の一部だけあってもよい。
【００２９】
同様にデコードされた映像信号の出力先は、例えば映像出力３１２のＩ／Ｆを介してテレビジョン受信装置１４０に備えられた表示装置３１７であってもよい、あるいは例えばＨＤＭＩ等のデジタル映像音声出力３１４のＩ／Ｆを介して放送信号受信装置１４０に接続された他の外部接続機器であってもよい。
【００３０】
これらの第２の基本機能１４１に含まれる各機能ブロックは、システムバス３２６を介してＣＰＵ３２５と接続されており、ＣＰＵ３２５の動作により制御される。
ＣＰＵ３２５は、システムバス３２６を介して第２の基本機能１４１に含むれる各機能ブロックと接続されており、またシステムバス３２６を介してＲＡＭ（主メモリ）３２４、ＲＯＭ３２３、ＮＶＲＡＭ３２１と接続されている。またＣＰＵ３２５は、第２の基本機能１４１を含み放送信号受信装置１４０全体を制御している。Ｉ／Ｏ３２０、ＮＶＲＡＭ３２１、ＲＯＭ３２３、ＲＡＭ３２４、ＣＰＵ３２５、システムバス３２６をまとめて制御手段１４２と呼ぶ。
【００３１】
音声デコーダ３０５がデコード可能な音声モードは、複数あってもよい。
図４は、本発明の実施形態に係る放送信号受信装置１４０の音声デコーダ３０５がデコード可能な、音声ストリームの符号化方式、音声モード、量子化ビット数の組み合わせの一例を示した一覧である。
【００３２】
音声デコーダ３０５がデコード可能な符号化方式は、ＭＰＥＧ４−ＡＡＣとＭＰＥＧ４−ＡＬＳである。
符号化方式がＭＰＥＧ４−ＡＡＣの場合音声デコーダ３０５がデコード可能な音声モードは、ステレオの２ｃｈとマルチチャンネルオーディオの５．１ｃｈ、７．１ｃｈ、２２．２ｃｈである。
【００３３】
符号化方式がＭＰＥＧ４−ＡＬＳの場合音声デコーダ３０５がデコード可能な音声モードは、ステレオの２ｃｈとマルチチャンネルオーディオの５．１ｃｈである。
音声デコーダ３０５がデコード可能な符号化方式であるＭＰＥＧ４−ＡＡＣとＭＰＥＧ４−ＡＬＳの量子化ビット数はいずれも２４ビットである。
【００３４】
なお図４の例は、音声デコーダ３０５がデコード可能な音声ストリームの符号化方式、音声モード、量子化ビット数の組み合わせの一例であり、これ以外の組み合わせであってもよい、あるいは図４に記載の一部の組み合わせがデコード可能な組み合わせであってもよい。
【００３５】
また音声デコーダ３０５は、非特許文献２に記載の放送信号受信装置の要求仕様である
・ＡＡＣ２ｃｈ再生
・ＡＡＣ５．１ｃｈから２ｃｈへのダウンミクス再生
する機能を有している。これらの放送信号受信装置の要求仕様を満たすために、放送信号送信装置１００から送られてくる放送波に含まれる音声ストリームは、
・ＡＡＣ＿７．１ｃｈ とＡＡＣ＿２２．２ｃｈの音声モードではＡＡＣ＿２ｃｈがサイマル運用
・ＡＬＳ音声モードではＡＡＣ＿２ｃｈ又はＡＡＣ５．１ｃｈがサイマル運用
されているが、音声デコーダ３０５は、これらのサイマル運用されている音声モードもデコードする機能を有している。
【００３６】
図５は、本発明の実施形態に係る放送信号受信装置１４０の音声デコーダ３０５がデコード可能な、音声モードとサイマル音声の組み合わせの一例である。◎がメインの音声モードであり、〇がサイマル運用の音声モードである。このように音声デコーダ３０５がデコードする音声ストリームは、複数の音声アセットを含む場合があり、複数の音声アセットを含む場合は、図５に示すようにメインの音声モードによってサイマルの音声モードが決められている。
【００３７】
また音声デコーダ３０５は、放送信号送信装置１００から送られてくる放送波に含まれる音声ストリームが複数の音声アセットから構成されている場合は、非特許文献２に記載の通り
・再生の際、再生できる音声モードを判別して、その内コンポーネントタグ値の小さい順にアセットを優先して切替え再生すること。なお、選局時には再生可能な一番小さいコンポーネントタグ値のアセットをデフォルト音声として再生
・２ｃｈまでの再生環境の場合で、ＡＡＣ５．１ｃｈに合わせＡＡＣ２ｃｈ音声がサイマル運用されている場合はＡＡＣ２ｃｈ音声を優先して再生
する機能を有している。
【００３８】
さらに音声デコーダ３０５は、図３に示す例のようにデコードした音声信号の出力先として、ヘッドフォン出力３１０、音声出力３１１、デジタル音声出力３１３、デジタル映像音声出力３１４の４つの出力先を有している。音声デコーダ３０５は、これらの出力先のうち例えば音声出力３１１のＩ／Ｆを介して放送信号受信装置１４０に備えられた２ｃｈ対応のスピーカ３１６に音声信号を出力中に、ユーザによりヘッドフォン出力３１０のＩ／Ｆにヘッドフォン３１５が挿入された場合、出力先を音声出力３１１のＩ／Ｆからヘッドフォン出力３１０のＩ／Ｆに切り替えて音声信号の出力を継続することが可能である。またデコーダ３０５は、出力先に接続されるヘッドフォン３１５等の外部接続機器が出力可能なチャンネル数に応じて音声モードを切り替えて音声信号の出力を継続することも可能である。
【００３９】
なお音声デコーダ３０５が音声信号をある出力先に出力中に、例えばヘッドフォン出力３１０のＩ／Ｆに２ｃｈ対応のヘッドフォン３１５がユーザにより挿入された場合、２ｃｈ対応のヘッドフォン３１５が挿入されたことを認識した制御手段１４２は、音声信号の出力先をヘッドフォン出力３１０に決定するとともに、出力する音声信号の音声モードをヘッドフォン３１５に対応した音声モードに決定し、その決定結果を音声デコーダ３０５に通知する。
【００４０】
同様に音声デコーダ３０５が音声信号をある出力先に出力中に、例えばデジタル音声出力３１３のＩ／Ｆあるいはデジタル映像音声出力３１４のＩ／Ｆにマルチチャンネルオーディオ対応のヘッドフォン（図示せず）やＡＶアンプ（図示せず）がユーザにより挿入された場合、マルチチャンネルオーディオ対応のヘッドフォンやＡＶアンプが挿入されたことを認識した制御手段１４２は、音声信号の出力先をデジタル音声出力３１３あるいはデジタル映像音声出力３１４に決定するとともに、出力する音声信号の音声モードをマルチチャンネルオーディオ対応のヘッドフォンやＡＶアンプに対応した音声モードに決定し、その決定結果を音声デコーダ３０５に通知する。
【００４１】
あるいはまた音声デコーダ３０５が、例えばヘッドフォン出力３１０のＩ／Ｆに挿入された２ｃｈ対応のヘッドフォン３１５に音声信号を出力中に、ユーザによりヘッドフォン出力３１０のＩ／Ｆからヘッドフォン３１５が抜かれた場合あるいは偶然に抜けた場合、２ｃｈ対応のヘッドフォン３１５が抜かれたことを認識した制御手段１４２は、音声信号の出力先を他の出力先に決定するとともに、決定した他の出力先に接続されている機器に対応した音声モードに決定し、その決定結果を音声デコーダ３０５に通知する。
【００４２】
制御手段１４２から通知を受けた音声デコーダ３０５は、通知された出力先に通知された音声モードの音声信号を出力する。
このように本実施形態の放送信号受信装置は、ある出力先に音声信号を出力中に、例えばヘッドフォン出力３１０のＩ／Ｆにヘッドフォンが挿入されたり抜かれたりした場合あるいは例えばデジタル音声出力３１３のＩ／Ｆあるいはデジタル映像音声出力３１４のＩ／Ｆにマルチチャンネルオーディオ対応のＡＶアンプ（図示せず）やヘッドフォンが挿入されたり抜かれたりした場合、その挿抜を認識し、挿抜による新たな出力先に、最適な音声モードの音声信号を出力することが可能である。
【００４３】
以下、放送信号受信装置１４０が外部接続機器の挿抜を認識し、挿抜による新たな出力先に最適な音声モードの音声信号を出力する処理の流れについて具体的に説明する。
１つめの例として、放送信号受信装置１４０が、備え付けのスピーカ３１６に音声信号を出力している状態において、新たにマルチチャンネルオーディオ対応のＡＶアンプやヘッドフォン等の外部接続機器が接続された場合における、音声信号の出力先の切り替えや出力する音声信号の音声モードの切り替えの制御について説明する。
【００４４】
放送信号受信装置１４０が音声出力３１１に接続されているスピーカ３１６に音声信号を出力している状態で、マルチチャンネルオーディオ対応の外部接続機器が接続されていない状態を、状態１とする。放送信号受信装置１４０は、状態１において図６に示す処理を行うものとする。
【００４５】
図６は、本発明の実施形態に係る放送信号受信装置１４０が、状態１において行う音声信号の出力先の切り替えや出力する音声信号の音声モードの切り替えの制御の一例の処理フローである。
制御手段１４２は、状態１において処理１（Ｓ６００）を開始する。なおこの時点で放送信号受信装置１４０は、音声出力３１１に接続されたスピーカ３１６に音声信号を出力中である。
【００４６】
制御手段１４２は、処理１を開始すると、デジタル音声出力３１３あるいはデジタル映像音声出力３１４にマルチチャンネルオーディオ対応の外部接続機器が接続されたかを監視する（Ｓ６０１）。
例えばユーザが、放送信号受信装置１４０に備えられているスピーカ３１６により番組視聴中にマルチチャンネルオーディオ対応のヘッドフォン（図示せず）を用いて番組を視聴するために、デジタル音声出力３１３のＩ／Ｆにマルチチャンネルオーディオ対応のヘッドフォンの端子を挿入したとする。デジタル音声出力３１３のＩ／Ｆに挿入されたマルチチャンネルオーディオ対応のヘッドフォンを、ヘッドフォン−Ａとする。
【００４７】
デジタル音声出力３１３のＩ／Ｆにマルチチャンネルオーディオ対応の外部接続機器（ヘッドフォン−Ａ）が接続されたことを確認すると（Ｓ６０１のＹｅｓ）、制御手段１４２は、現在音声デコーダ３０５が出力する対象として選択中の音声アセットを、音声信号として音声出力３１１へ出力するのをＭｕｔｅする（Ｓ６０２）とともに、Ｍｕｔｅした音声アセットの情報を保存する（Ｓ６０３）。
【００４８】
制御手段１４２が保存するＭｕｔｅした音声アセットの情報は、少なくともＭｕｔｅした音声アセットの出力先である音声出力３１１の情報が含まれていればよく、例えばＭｕｔｅした出力先である音声出力３１１に接続されているスピーカ３１６がサポートするステレオのチャンネル数の情報がさらに含まれていてもよい。また制御手段１４２がＭｕｔｅした音声アセットの情報を記憶する場所は、例えばＲＡＭ３２４であってもよい。
【００４９】
次に制御手段１４２は、接続されたヘッドフォン−Ａがサポートするステレオのチャンネル数やデコードの可否を確認する（Ｓ６０４）。
制御手段１４２は、確認したステレオのチャンネル数やデコードの可否を音声デコーダ３０５に通知する。
制御手段１４２から通知を受けた音声デコーダ３０５は、デスクランブラ３０３から入力される音声ストリームの中に、Ｓ６０４で確認したチャンネル数を持つ音声アセットが含まれているかを確認する（Ｓ６０５）。
【００５０】
確認の結果、該当する音声アセットが含まれている場合（Ｓ６０６のＹｅｓ）、音声デコーダ３０５は、該当する音声アセットを選択し（Ｓ６１２）、選択した音声アセットを出力する音声信号として、Ｓ６０１で接続を確認した出力先に出力する（Ｓ６１３）。なお、選択された音声アセットをヘッドフォン−Ａがデコード可能な場合、音声デコーダ３０５は選択した音声アセットを音声信号としてそのまま出力し、選択した音声アセットをヘッドフォン−Ａがデコード不可能な場合、音声デコーダ３０５は選択した音声アセットをデコードして音声信号として出力する。
【００５１】
確認の結果、該当する音声アセットが含まれていない場合（Ｓ６０６のＮｏ）、音声デコーダ３０５は、２ｃｈの音声アセットを出力する音声信号として、Ｓ６０１で接続を確認した出力先に出力する（Ｓ６１１）する。
音声デコーダ３０５は、２ｃｈの音声信号を出力するために現在選択中の音声アセットがＡＡＣ＿２ｃｈであるかを確認する（Ｓ６０７）。
【００５２】
現在選択中の音声アセットがＡＡＣ＿２ｃｈの場合（Ｓ６０７のＹｅｓ）、音声デコーダ３０５は、選択中のＡＡＣ＿２ｃｈの音声アセットを出力する音声信号として、Ｓ６０１で接続を確認した出力先に出力する（Ｓ６１１）。
現在選択中の音声アセットがＡＡＣ＿２ｃｈでない場合（Ｓ６０７のＮｏ）、音声デコーダ３０５はさらに、現在選択中の音声アセットがＡＡＣ＿５．１ｃｈであるかを確認する（Ｓ６０８）。
【００５３】
現在選択中の音声アセットがＡＡＣ＿５．１ｃｈの場合（Ｓ６０８のＹｅｓ）、音声デコーダ３０５は、選択中のＡＡＣ＿５．１ｃｈの音声アセットをダウンミクスして（Ｓ６１０）２ｃｈの音声信号を生成し、Ｓ６０１で接続を確認した出力先に出力する（Ｓ６１１）。
【００５４】
現在選択中の音声アセットがＡＡＣ＿５．１ｃｈでない場合（Ｓ６０８のＮｏ）、音声デコーダ３０５は、選択中の音声アセットに対してサイマル放送されているＡＡＣ＿２ｃｈの音声アセットを、出力する音声信号としてＳ６０１で接続を確認した出力先に出力する（Ｓ６１１）。
【００５５】
具体的には、放送信号受信装置１４０のユーザが視聴している番組における音声ストリームは、例えばＡＡＣ＿７．１ｃｈの音声アセットを含んでおり、ヘッドフォン−Ａは、サポートするステレオのチャンネル数が７．１ｃｈでありデコード可能であるとする。
【００５６】
この場合Ｓ６０３では、制御手段１４２は、音声出力３１１に出力していた音声アセットの情報を保存する。保存される音声アセットの情報は、少なくとも出力先である音声出力３１１の情報が含まれればよく、例えば音声出力３１１に接続されているスピーカ３１６がサポートするステレオのチャンネル数が２ｃｈである情報が含まれていてもよい。
【００５７】
またＳ６０４では、制御手段１４２は、ヘッドフォン−Ａがサポートするステレオのチャンネル数が７．１ｃｈであること、またヘッドフォン−Ａはデコードが可能であることを確認する。
またＳ６０５では、音声デコーダ３０５は、音声ストリーム中にＡＡＣ＿７．１ｃｈの音声アセットがあることを確認する。
【００５８】
またＳ６１２では、音声デコーダ３０５は、音声ストリーム中のＡＡＣ＿７．１ｃｈの音声アセットを選択する。
またＳ６１３では、音声デコーダ３０５は、Ｓ６１２で選択したＡＡＣ＿７．１ｃｈの音声アセットを、音声信号としてデジタル音声出力３１３に出力する。
【００５９】
これにより放送信号受信装置１４０で番組を視聴中のユーザは、ヘッドフォン−Ａをデジタル音声出力３１３のＩ／Ｆに挿入するだけで、ヘッドフォン−Ａがサポートする７．１ｃｈの音声信号を聞くことが可能となる。
以上のように本実施形態の放送信号受信装置１４０は、音声出力３１１に接続されているスピーカ３１６に音声信号を出力している状態で、デジタル音声出力３１３あるいはデジタル映像音声出力３１４のＩ／Ｆにマルチチャンネルオーディオ対応の外部接続機器が接続されると、接続された外部接続機器がサポートする音声モードが受信した放送信号に含まれているかを確認し、出力可能な音声モードで音声信号を出力することが可能となる。この例は、外部接続機器の接続によりデコーダ３０５が出力する音声信号の音声モードが、２ｃｈのステレオからマルチチャンネルオーディオに切り替わった例である。
【００６０】
次に制御手段１４２は、Ｓ６０１で接続を確認したヘッドフォン−Ａが、音声信号の出力先のＩ／Ｆから切断されたかどうかの確認を行う（Ｓ６５０）。
音声信号の出力先のＩ／Ｆからヘッドフォン−Ａが切断されたことを確認すると（Ｓ６５０のＹｅｓ）、制御手段１４２は、Ｓ６０３で記憶した音声アセット情報を読み込み（Ｓ６５１）、読み込んだ音声アセット情報を音声デコーダ３０５に通知する。なお制御手段１４２が音声デコーダ３０５に通知する内容は、読み込んだ音声アセット情報に含まれる出力先の情報を用いて、この出力先に接続されている外部接続機器がサポートするステレオのチャンネル数を取得して、出力先の情報とともに音声デコーダ３０５に通知してもよい。
【００６１】
音声デコーダ３０５は、通知された音声アセット情報を用いて音声ストリームに含まれる音声アセットから出力対象の音声アセットを選択し、選択した音声アセットを音声信号としてＳ６０２でＭｕｔｅしていた出力先に出力する（Ｓ６５２）。
なお選択された音声アセットをスピーカ３１６がデコード可能な場合、音声デコーダ３０５は選択した音声アセットを音声信号として出力し、選択した音声アセットをスピーカ３１６がデコード不可能な場合、音声デコーダ３０５は選択した音声アセットをデコードして音声信号として出力する。
【００６２】
具体的には、Ｓ６５１では、制御手段は、音声アセットの情報として、出力先が音声出力３１１であること、音声出力３１１のＩ／Ｆに接続されているスピーカ３１６がサポートするステレオのチャンネル数は２ｃｈであることを、音声デコーダ３０５に通知する。
【００６３】
またＳ６５２では、音声デコーダ３０５は、通知された音声アセットの情報をもとに、音声ストリームに含まれるＡＡＣ＿２ｃｈの音声アセットを選択し、選択した音声アセットを音声信号としてＳ６０２でＭｕｔｅしていた出力先である音声出力３１１に出力する。
【００６４】
これにより放送信号受信装置１４０で番組を視聴中のユーザは、ヘッドフォン−Ａを抜いた場合でも、スピーカ３１６から出力される２ｃｈの音声信号を、継続して聞くことが可能となる。
以上のように本実施形態の放送信号受信装置１４０は、マルチチャンネルオーディオ対応の外部接続機器との接続が切断されても、マルチチャンネルオーディオ対応の外部接続機器が接続される前の出力先に切り替えて音声信号を出力することが可能となる。この例は、外部接続機器の接続の切断によりデコーダ３０５が出力する音声信号の音声モードが、マルチチャンネルオーディオから２ｃｈのステレオに切り替わった例である。
【００６５】
なお上記の例はユーザ操作によりマルチチャンネルオーディオ対応の外部接続機器が放送信号受信装置１４０に対して挿抜された場合の例であるが、例えば放送信号受信装置１４０に接続されているマルチチャンネルオーディオ対応の外部接続機器であるＡＶアンプが、たまたま放送信号受信装置１４０から抜けてしまった場合も、同様な動作となる。
【００６６】
２つめの例として、放送信号受信装置１４０がデジタル音声出力３１３に接続されているマルチチャンネルオーディオ対応の外部接続機器に音声信号を出力している状態において、さらにヘッドフォン３１５等２ｃｈのステレオ対応の外部接続機器が接続された場合における、音声信号の出力先の切り替えや出力する音声信号の音声モードの切り替えの制御について説明する。この例は、図６の処理フローにおいて、Ｓ６０２以降Ｓ６１１の処理までの間のマルチチャンネルオーディオ対応の外部接続機器がデジタル音声出力３１３あるいはデジタル映像音声出力３１４に音声信号を出力している状態で、さらにヘッドフォン３１５がヘッドフォン出力３１０に接続された場合に相当する。なお放送信号受信装置１４０に、Ｓ６０２以降Ｓ６１１の処理までの間のマルチチャンネルオーディオ対応の外部接続機器がデジタル音声出力３１３あるいはデジタル映像音声出力３１４に音声信号を出力している状態を、状態２とする。
【００６７】
図７は、本発明の実施形態に係る放送信号受信装置１４０が、状態２において行う音声信号の出力先の切り替えや出力する音声信号の音声モードの切り替えの制御の一例の処理フローである。なおヘッドフォン３１５は、２ｃｈのステレオをサポートし、デコードは不可能であるとして説明する。
【００６８】
制御手段１４２は、状態２において処理２（Ｓ７００）を開始する。制御手段１４２は、処理２を開始すると、ヘッドフォン出力３１０に２ｃｈステレオ対応のヘッドフォン３１５が接続されたかを監視する（Ｓ７０１）。
例えばユーザが、放送信号受信装置１４０のデジタル音声出力３１３にＡＶアンプ（図示せず）を接続し、２２．２ｃｈをサポートするオーディオシステムにより番組を視聴中に、急遽２ｃｈ対応のヘッドフォン３１５に音声出力を切り替えるために、ヘッドフォン出力３１０にヘッドフォン３１５の端子を挿入したとする。
【００６９】
ヘッドフォン出力３１０に２ｃｈステレオ対応のヘッドフォン３１５が接続されたことを確認すると（Ｓ７０１のＹｅｓ）、制御手段１４２は、現在音声デコーダ３０５が出力対象として選択中の音声アセットを、音声信号としてデジタル音声出力３１３へ出力するのをＭｕｔｅする（Ｓ７０２）とともに、Ｍｕｔｅした音声アセットの情報を保存する（Ｓ７０３）。
【００７０】
制御手段１４２が保存するＭｕｔｅした音声アセットの情報は、少なくともＭｕｔｅした音声アセットの出力先であるデジタル音声出力３１３の情報が含まれていればよく、例えばＭｕｔｅした出力先であるデジタル音声出力３１３に接続されているＡＶアンプがサポートするステレオのチャンネル数の情報がさらに含まれていてもよい。また制御手段１４２がＭｕｔｅした音声アセットの情報と出力先の情報とを記憶する場所は、例えばＲＡＭ３２４であってもよい。
【００７１】
次に制御手段１４２は、接続されたヘッドフォン３１６がサポートするステレオのチャンネル数やデコードの可否を確認し、確認したステレオのチャンネル数やデコードの可否を音声デコーダ３０５に通知する。
制御手段１４２から通知を受けた音声デコーダ３０５は、ヘッドフォン３１５に出力する２ｃｈの音声信号を出力するために、デジタル音声出力３１１に出力中である現在選択中の音声アセットがＡＡＣ＿２ｃｈであるかを確認する（Ｓ７０４）。
【００７２】
現在選択中の音声アセットがＡＡＣ＿２ｃｈの場合（Ｓ７０４のＹｅｓ）、音声デコーダ３０５は、選択中のＡＡＣ＿２ｃｈの音声アセットを、出力する音声信号としてＳ７０１で接続を確認した出力先に出力する（Ｓ７０８）。
現在選択中の音声アセットがＡＡＣ＿２ｃｈでない場合（Ｓ７０４のＮｏ）、音声デコーダ３０５はさらに、現在選択中の音声アセットがＡＡＣ＿５．１ｃｈであるかを確認する（Ｓ７０５）。
【００７３】
現在選択中の音声アセットがＡＡＣ＿５．１ｃｈの場合（Ｓ７０５のＹｅｓ）、音声デコーダ３０５は、選択中のＡＡＣ＿５．１ｃｈの音声アセットをダウンミクスして（Ｓ７０７）２ｃｈの音声信号を生成し、Ｓ７０１で接続を確認した出力先に出力する（Ｓ７０８）。
【００７４】
現在選択中の音声アセットがＡＡＣ＿５．１ｃｈ以外の場合（Ｓ７０５のＮｏ）、音声デコーダ３０５は、選択中の音声アセットに対してサイマル放送されているＡＡＣ＿２ｃｈの音声アセットを、出力する音声信号としてＳ７０１で接続を確認した出力先に出力する（Ｓ７０８）。
【００７５】
具体的には、Ｓ７０３では、制御手段１４２は、音声出力３１１に出力していた音声アセットの情報を保存する。保存される音声アセットの情報は、少なくとも出力先であるデジタル音声出力３１３の情報が含まれればよく、例えばデジタル音声出力３１３に接続されているＡＶアンプがサポートするステレオのチャンネル数が２２．２ｃｈである情報が含まれていてもよい。
【００７６】
またＳ７０４では、音声デコーダ３０５は、デジタル音声出力３１３に出力中の現在選択中である音声信号のステレオのチャンネル数が２２．２ｃｈであることを確認する。
またＳ７０５では、音声デコーダ３０５は、現在選択中の音声アセットがＡＡＣ＿２２．２ｃｈであり、ＡＡＣ＿５．１ｃｈでないことを確認する。
【００７７】
またＳ７０８では、音声デコーダ３０５は、現在選択中の音声アセットであるＡＡＣ＿２２．２ｃｈに対してサイマル放送されているＡＡＣ＿２ｃｈの音声アセットを、Ｓ７０１で接続を確認した出力先であるヘッドフォン出力３１０に出力する。
これにより放送信号受信装置１４０で番組を視聴中のユーザは、ヘッドフォン出力３１０のＩ／Ｆにヘッドフォン３１５を挿入するだけで、ヘッドフォン３１５がサポートする２ｃｈの音声信号を聞くことが可能となる。
【００７８】
以上のように本実施形態の放送信号受信装置１４０は、デジタル音声出力３１３あるいはデジタル映像音声出力３１４のＩ／Ｆに接続されているマルチチャンネルオーディオ対応の外部接続機器に音声信号を出力している状態で、さらに２ｃｈのステレオのヘッドフォン３１５が接続されると、接続されたヘッドフォン３１５がサポートする音声モードである２ｃｈで、音声信号を出力することが可能となる。この例は、外部接続機器の接続によりデコーダ３０５が出力する音声信号の音声モードが、マルチチャンネルオーディオから２ｃｈのステレオに切り替わった例である。
【００７９】
次に制御手段１４２は、Ｓ７０１で接続を確認したヘッドフォン３１５が、音声信号の出力先のＩ／Ｆから切断されたかどうかの確認を行う（Ｓ７５０）。
音声信号の出力先のＩ／Ｆからヘッドフォン３１５が切断されたかを確認すると（Ｓ７５０のＹｅｓ）、制御手段１４２は、Ｓ７０３で記憶した音声アセット情報を読み込み（Ｓ７５１）、読み込んだ音声アセット情報を音声デコーダ３０５に通知する。なお制御手段１４２が音声デコーダ３０５に通知する内容は、読み込んだ音声アセット情報に含まれる出力先の情報を用いて、この出力先に接続されている外部接続機器がサポートするステレオのチャンネル数を取得して、出力先の情報ととともに音声デコーダ３０５に通知してもよい。
【００８０】
音声デコーダ３０５は、通知された音声アセット情報を用いて音声ストリームに含まれる音声アセットから出力対象の音声アセットを選択し、選択した音声アセットを音声信号としてＳ７０２でＭｕｔｅしていた出力先に出力する（Ｓ７５２）。
なお選択された音声アセットをスピーカ３１６がデコード可能な場合、音声デコーダ３０５は選択した音声アセットを音声信号として出力し、選択した音声アセットをスピーカ３１６がデコード不可能な場合、音声デコーダ３０５は選択した音声アセットをデコードして音声信号として出力する。
【００８１】
具体的には、Ｓ７５１では、制御手段は、音声アセットの情報として、出力先がデジタル音声出力３１３であること、デジタル音声出力３１３のＩ／Ｆに接続されているＡＶアンプ（図示せず）がサポートするステレオのチャンネル数は２２．２ｃｈであることを、音声デコーダ３０５に通知する。
【００８２】
またＳ７５２では、音声デコーダ３０５は、通知された音声アセットの情報をもとに、音声ストリームに含まれるＡＡＣ＿２２．２ｃｈの音声アセットを選択し、選択した音声アセットを音声信号としてＳ７０２でＭｕｔｅしていた出力先であるデジタル音声出力３１３に出力する。
【００８３】
これにより放送信号受信装置１４０で番組を視聴中のユーザは、ヘッドフォン３１５を抜いた場合でも、デジタル音声出力３１３に接続されたＡＶアンプを含むサウンドシステムから出力される２２．２ｃｈの音声信号を、継続して聞くことが可能となる。
以上のように本実施形態の放送信号受信装置１４０は、２ｃｈのステレオのヘッドフォン３１５との接続が切断されても、ヘッドフォン３１５接続前の出力先であるマルチチャンネルオーディオ対応の外部接続機器に出力先を切り替えて、マルチチャンネルオーディオ対応の外部接続機器がサポートする音声モードの音声信号を出力することが可能となる。この例は、外部接続機器の接続の切断によりデコーダ３０５が出力する音声信号の音声モードが、２ｃｈのステレオからマルチチャンネルオーディオに切り替わった例である。
【００８４】
以上のように本実施形態の放送信号受信装置１４０は、音声信号を出力中に新たな外部接続機器が接続された場合、新たに接続された外部接続機器を音声信号の新たな出力先とし、新たな出力先の外部接続機器がサポートする音声モードの音声信号を出力することが可能となる。
【００８５】
また同様に本実施形態の放送信号受信装置１４０は、音声信号を出力中の外部接続機器が抜かれた場合、抜かれた外部接続機器の代わりの機器を、音声信号の出力先とし、代わりの機器がサポートする音声モードの音声信号を出力することが可能となる。
またサイマル運用する音声モードは、図５に示すようにＡＡＣ＿２ｃｈであるが、これに限定されない。例えばＡＡＣ＿５．１ｃｈやＡＡＣ＿７．１ｃｈ等マルチチャンネルオーディオがサイマル運用されてもよい。この場合音声デコーダ３０５は、サイマル運用されている音声アセットの中から、例えば外部接続機器がサポートしている一番チャンネル数が多い音声アセットを選択してデコードすればよい。
【００８６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００８７】
１００・・・放送信号送信装置、１４０・・・放送信号受信装置、３１０・・・ヘッドフォン出力、３１１・・・音声出力、３１２・・・映像出力、３１３・・・デジタル音声出力、３１４・・・デジタル映像音声出力、３１５・・・ヘッドフォン、３１６、スピーカ、３１７・・・表示装置。
【図１】
2020039084.tif 000003
【図２】
2020039084.tif 000004
【図３】
2020039084.tif 000005
【図４】
2020039084.tif 000006
【図５】
2020039084.tif 000007
【図６】
2020039084.tif 000008
【図７】
2020039084.tif 000009